(57)【特許請求の範囲】
【請求項１】
スマート懐中電灯の制御方法であって、
現在の時間が予め設定された時間に到達したか否かを決定するステップであって、前記予め設定された時間は、季節によって決定されるステップと、
前記現在の時間が前記予め設定された時間に到達した場合、設定モードに入るステップと、
前記設定モードにおいて、現在の進行する方向を決定するステップと、
予め記憶された方向と照明方式との対応関係を読み取り、現在の方向に対応する照明方式を決定するステップと、
決定された照明方式で照明するステップと、を含む、
ことを特徴とするスマート懐中電灯の制御方法。
【請求項２】
前記予め記憶された方向と照明方式との対応関係を読み取り、現在の方向に対応する照明方式を決定するステップは、
予め記憶された方向と光の色との対応関係を読み取り、現在の方向に対応する光の色を決定するステップを含み、
前記決定された照明方式で照明するステップは、
現在の光の色を決定された光の色に調整して照明するステップを含む、
ことを特徴とする請求項１に記載のスマート懐中電灯の制御方法。
【請求項３】
前記予め記憶された方向と照明方式との対応関係を読み取り、現在の方向に対応する照明方式を決定するステップは、
予め記憶された方向と光の色との対応関係を読み取り、現在の方向に対応する光の色及び光照射の点滅頻度を決定するステップを含み、
前記決定された照明方式で照明するステップは、
現在の光の色を決定された光の色に調整して、決定された光照射の点滅頻度で照明するステップを含む、
ことを特徴とする請求項１又は２に記載のスマート懐中電灯の制御方法。
【請求項４】
前記予め記憶された方向と照明方式との対応関係を読み取り、現在の方向に対応する照明方式を決定するステップは、
予め記憶された方向と光の色との対応関係を読み取り、現在の方向に対応する光の色及び光照射の輝度を決定するステップを含み、
前記決定された照明方式で照明するステップは、
現在の光の色を決定された光の色に調整し、現在の光照射の輝度を決定された光照射の輝度に調整して照明するステップを含む、
ことを特徴とする請求項１〜３のいずれか一項に記載のスマート懐中電灯の制御方法。
【請求項５】
現在の進行方向が変化されたことが検出された場合、変化された方向を決定するステップと、
予め記憶された方向と照明方式との対応関係を読み取り、変化された方向に対応する照明方式を決定するステップと、
現在の照明方式を変化された方向に対応する照明方式に調整するステップと、をさらに含む、
ことを特徴とする請求項１〜４のいずれか一項に記載のスマート懐中電灯の制御方法。
【請求項６】
スマート懐中電灯の制御装置であって、
現在の時間が予め設定された時間に到達したか否かを決定するように構成される第３の決定モジュールであって、前記予め設定された時間は、季節によって決定される第３の決定モジュールと、
前記現在の時間が前記予め設定された時間に到達した場合、設定モードに入るように構成される第２のモードモジュールと、
前記設定モードにおいて、現在の進行方向を決定するように構成される第１の決定モジュールと、
予め記憶された方向と照明方式との対応関係を読み取り、現在の方向に対応する照明方式を決定するように構成される第１の読み取りモジュールと、
決定された照明方式で照明するように構成される照明モジュールと、を備える、
ことを特徴とするスマート懐中電灯の制御装置。
【請求項７】
前記第１の読み取りモジュールは、
予め記憶された方向と光の色との対応関係を読み取り、現在の方向に対応する光の色を決定するように構成される第１の読み取りサブモジュールを備え、
前記照明モジュールは、
現在の光の色を決定された光の色に調整して照明するように構成される第１の照明サブモジュールを備える、
ことを特徴とする請求項６に記載のスマート懐中電灯の制御装置。
【請求項８】
前記第１の読み取りモジュールは、
予め記憶された方向と光の色との対応関係を読み取り、現在の方向に対応する光の色及び光照射の点滅頻度を決定するように構成される第２の読み取りサブモジュールを備え、
前記照明モジュールは、
現在の光の色を決定された光の色に調整して、決定された光照射の点滅頻度で照明するように構成される第２の照明サブモジュールを備える、
ことを特徴とする請求項６又は７に記載のスマート懐中電灯の制御装置。
【請求項９】
前記第１の読み取りモジュールは、
予め記憶された方向と光の色との対応関係を読み取り、現在の方向に対応する光の色及び光照射の輝度を決定するように構成される第３の読み取りサブモジュールを備え、
前記照明モジュールは、
現在の光の色を決定された光の色に調整し、現在の光照射の輝度を決定された光照射の輝度に調整して照明するように構成される第３の照明モジュールを備える、
ことを特徴とする請求項６〜８のいずれか一項に記載のスマート懐中電灯の制御装置。
【請求項１０】
現在の進行方向が変化されたことが検出された場合、変化された方向を決定するように構成される第２の決定モジュールと、
予め記憶された方向と照明方式との対応関係を読み取り、変化された方向に対応する照明方式を決定するように構成される第２の読み取りモジュールと、
現在の照明方式を変化された方向に対応する照明方式に調整するように構成される調整モジュールと、をさらに備える、
ことを特徴とする請求項６〜９のいずれか一項に記載のスマート懐中電灯の制御装置。
【請求項１１】
コンピュータ上で動作する際に、請求項１〜５のいずれか一項に記載のスマート懐中電灯の制御方法を前記コンピュータに実行させるための、コンピュータプログラム。
【請求項１２】
コンピュータ読み取り可能な記録媒体であって、前記コンピュータ読み取り可能な記録媒体に保存された請求項１１に記載のコンピュータプログラムを含む、コンピュータ読み取り可能な記録媒体。
【発明の詳細な説明】
【技術分野】
【０００１】
本発明は、スマート家庭電器の技術分野に関し、特に、スマート懐中電灯の制御方法、装置及びスマートデバイスに関する。
【背景技術】
【０００２】
ユーザーが夜の道を歩いているとき、特に、不慣れな道を歩いているとき、又は参照物が少ない野外で歩いているとき、方向を見失ってしまうことがよく発生するので、ユーザーの身の安全に隠れた危険が存在し、ユーザーの旅程にもよく影響を与える。
【発明の概要】
【発明が解決しようとする課題】
【０００３】
関連技術において、たくさんのスマートデバイスには羅針盤機能が設けられているが、夜に光が暗いと、ユーザーが頻繁に羅針盤を見る必要があるので不便である。例えば、集中して道の状況に注意することができないとか、暗いので羅針盤の表示をはっきり見えることができないなどの不便がある。
【０００４】
本発明は、関連技術に存在する問題を克服するために、ユーザーに方向を精度よく通知して、ユーザーに精度よく道を案内して目的地に着くことを確保し、ユーザーの身の安全を確保できるスマート懐中電灯の制御方法、装置及びスマートデバイスを提供する。
【課題を解決するための手段】
【０００５】
本発明の第１態様によれば、
スマート懐中電灯の制御方法であって、
設定モードにおいて、現在の進行する方向を決定するステップと、
予め記憶された方向と照明方式との対応関係を読み取り、現在の方向に対応する照明方式を決定するステップと、
決定された照明方式で照明するステップと、を含むスマート懐中電灯の制御方法が提供される。
【０００６】
一実施例において、前記予め記憶された方向と照明方式との対応関係を読み取り、現在の方向に対応する照明方式を決定するステップは、
予め記憶された方向と光の色との対応関係を読み取り、現在の方向に対応する光の色を決定するステップを含み、
決定された照明方式で照明するステップは、
現在の光の色を決定された光の色に調整して照明するステップを含む。
【０００７】
一実施例において、前記予め記憶された方向と照明方式との対応関係を読み取り、現在の方向に対応する照明方式を決定するステップは、
予め記憶された方向と光の色との対応関係を読み取り、現在の方向に対応する光の色及び光照射の点滅頻度を決定するステップを含み、
決定された照明方式で照明するステップは、
現在の光の色を決定された光の色に調整して、決定された光照射の点滅頻度で照明するステップを含む。
【０００８】
一実施例において、前記予め記憶された方向と照明方式との対応関係を読み取り、現在の方向に対応する照明方式を決定するステップは、
予め記憶された方向と光の色との対応関係を読み取り、現在の方向に対応する光の色及び光照射の輝度を決定するステップを含み、
決定された照明方式で照明するステップは、
現在の光の色を決定された光の色に調整し、現在の光照射の輝度を決定された光照射の輝度に調整して照明するステップを含む。
【０００９】
一実施例において、現在の進行する方向が変化されたことが検出された場合、変化された方向を決定するステップと、
予め記憶された方向と照明方式との対応関係を読み取り、変化された方向に対応する照明方式を決定するステップと、
現在の照明方式を変化された方向に対応する照明方式に調整するステップと、をさらに含む。
【００１０】
一実施例において、ユーザーの作動モードに対する選択操作が検出されるステップと、
前記選択操作が設定モードに対する操作である場合、前記設定モードに入るステップと、をさらに含む。
【００１１】
一実施例において、現在の時間が予め設定された時間に到達したか否かを決定するステップと、
前記現在の時間が前記予め設定された時間に到達した場合、前記設定モードに入るステップと、をさらに含む。
【００１２】
本発明の第２態様によれば、
スマート懐中電灯の制御装置であって、
設定モードにおいて、現在の進行する方向を決定するように構成される第１の決定モジュールと、
予め記憶された方向と照明方式との対応関係を読み取り、現在の方向に対応する照明方式を決定するように構成される第１の読み取りモジュールと、
決定された照明方式で照明するように構成される照明モジュールと、を備えるスマート懐中電灯の制御装置が提供される。
【００１３】
一実施例において、前記第１の読み取りモジュールは、
予め記憶された方向と光の色との対応関係を読み取り、現在の方向に対応する光の色を決定するように構成される第１の読み取りサブモジュールを備え、
前記照明モジュールは、
現在の光の色を決定された光の色に調整して照明するように構成される第１の照明サブモジュールを備える。
【００１４】
一実施例において、前記第１の読み取りモジュールは、
予め記憶された方向と光の色との対応関係を読み取り、現在の方向に対応する光の色及び光照射の点滅頻度を決定するように構成される第２の読み取りサブモジュールを備え、
前記照明モジュールは、
現在の光の色を決定された光の色に調整して、決定された光照射の点滅頻度で照明するように構成される第２の照明サブモジュールを備える。
【００１５】
一実施例において、前記第１の読み取りモジュールは、
予め記憶された方向と光の色との対応関係を読み取り、現在の方向に対応する光の色及び光照射の輝度を決定するように構成される第３の読み取りサブモジュールを備え、
前記照明モジュールは、
現在の光の色を決定された光の色に調整し、現在の光照射の輝度を決定された光照射の輝度に調整して照明するように構成される第３の照明モジュールを備える。
【００１６】
一実施例において、前記装置は、現在の進行する方向が変化されたことが検出された場合、変化された方向を決定するように構成される第２の決定モジュールと、
予め記憶された方向と照明方式との対応関係を読み取り、変化された方向に対応する照明方式を決定するように構成される第２の読み取りモジュールと、
現在の照明方式を変化された方向に対応する照明方式に調整するように構成される調整モジュールと、をさらに備える。
【００１７】
一実施例において、前記装置は、ユーザーの作動モードに対する選択操作が検出されるように構成される検出モジュールと、
前記選択操作が設定モードに対する操作である場合、前記設定モードに入るように構成される第１のモードモジュールと、をさらに備える。
【００１８】
一実施例において、前記装置は、現在の時間が予め設定された時間に到達したか否かを決定するように構成される第３の決定モジュールと、
前記現在の時間が前記予め設定された時間に到達した場合、前記設定モードに入るように構成される第２のモードモジュールと、をさらに備える。
【００１９】
本発明の第３態様にれば、
プロセッサーと、
プロセッサーが実行可能な指令を記憶するためのメモリとを備え、
前記プロセッサーが、
設定モードにおいて、現在の進行する方向を決定し、
予め記憶された方向と照明方式との対応関係を読み取り、現在の方向に対応する照明方式を決定し、
決定された照明方式で照明するように構成されるスマートデバイスが提供される。
【００２０】
本発明の第４態様によれば、
コンピュータプログラムが記憶されたコンピュータ読み取り可能な記録媒体であって、前記プログラムがプロセッサーに実行される場合、
設定モードにおいて、現在の進行する方向を決定するステップと、
予め記憶された方向と照明方式との対応関係を読み取り、現在の方向に対応する照明方式を決定するステップと、
決定された照明方式で照明するステップと、を実現するコンピュータ読み取り可能な記録媒体が提供される。
【発明の効果】
【００２１】
本発明によれば、以下のような有利な効果を奏することができる。
本発明に係るスマート懐中電灯によれば、光が暗いとき、ユーザーに照明を提供するとともに方向を明示し、また、方向がずれると、照明方式を変えて、ユーザーが都合よく進行方向を調整するように通知する。これによって、ユーザーが頻繁に羅針盤を見る必要がなくなり、ユーザーが道に迷ってしまうことを防止でき、ユーザーに利便性を提供し、ユーザーの体験を向上させる。
【００２２】
なお、以上の一般的な説明及び後の詳しい説明は、単に例示的且つ解釈的なものであり、本発明を限定するためのものではない。
【図面の簡単な説明】
【００２３】
以下の図面は、明細書に組み入れて本明細書の一部分を構成し、本発明に該当する実施例を例示するとともに、明細書とともに本発明の原理を解釈する。
【図１Ａ】一例示的な実施例に係るスマート懐中電灯の制御方法を示すフローチャートである。
【図１Ｂ】一例示的な実施例に係るスマート懐中電灯の制御方法の適用場面図である。
【図２Ａ】一例示的な実施例に係る他のスマート懐中電灯の制御方法を示すフローチャートである。
【図２Ｂ】一例示的な実施例に係る他のスマート懐中電灯の制御方法の適用場面図である。
【図３】一例示的な実施例に係る他のスマート懐中電灯の制御方法を示すフローチャートである。
【図４】一例示的な実施例に係る他のスマート懐中電灯の制御方法を示すフローチャートである。
【図５】一例示的な実施例に係る他のスマート懐中電灯の制御方法を示すフローチャートである。
【図６】一例示的な実施例に係る他のスマート懐中電灯の制御方法を示すフローチャートである。
【図７】一例示的な実施例に係るスマート懐中電灯の制御装置を示すブロック図である。
【図８】一例示的な実施例に係る他のスマート懐中電灯の制御装置を示すブロック図である。
【図９】一例示的な実施例に係る他のスマート懐中電灯の制御装置を示すブロック図である。
【図１０】一例示的な実施例に係る他のスマート懐中電灯の制御装置を示すブロック図である。
【図１１】一例示的な実施例に係るスマート懐中電灯の制御装置を示すブロック図である。
【図１２】一例示的な実施例に係る他のスマート懐中電灯の制御装置を示すブロック図である。
【図１３】一例示的な実施例に係る他のスマート懐中電灯の制御装置を示すブロック図である。
【図１４】一例示的な実施例に係るスマート懐中電灯の制御装置に適用されるブロック図である。
【発明を実施するための形態】
【００２４】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。それらは、特許請求の範囲に記載の本発明のある側面に一致する装置及び方法の例に過ぎない。
【００２５】
図１Ａは一例示的な実施例に係るスマート懐中電灯の制御方法を示すフローチャートであり、図１Ｂは一例示的な実施例に係るスマート懐中電灯の制御方法の適用場面図である。前記スマート懐中電灯の制御方法はスマート懐中電灯に適用可能であり、本発明に係るスマート懐中電灯は羅針盤の機能を有する。
【００２６】
前記羅針盤の機能は、電子コンパス、又は電子コンパス、重力加速度計及びジャイロスコープを組み合わせて構成される干渉防止可能な電子コンパスユニットにより実現されてもよい。前記羅針盤の機能は既にスマートフォンに広く適用されているので、ここで、その実現原理に対して贅言しないようにする。電子コンパス、重力加速度計及びジャイロスコープが組み合わせて構成される干渉防止可能な電子コンパスユニットにより実現される羅針盤の機能の干渉防止機能が強く、方向変化に対して感度が高い。また、スマート懐中電灯に実物である羅針盤を装着することで羅針盤の機能を実現してもよい。これに対して、当業者であれば、何れの実施形態であってもすべてが本発明が求める保護範囲に属することに対して自明である。
【００２７】
図１Ａに示すように、前記スマート懐中電灯の制御方法は、以下のステップ１０１−１０３を含む。
【００２８】
ステップ１０１：設定モードにおいて、現在の進行する方向を決定する。
一実施例において、スマート懐中電灯は設定モードにおいてそれ自体が備える羅針盤の機能によって現在の進行する方向、例えば、東、西、南、北、東南、北西などを決定することができる。
一実施例において、設定モードは、ユーザーがスマート懐中電灯の設置機能を介して選択したモードである。
【００２９】
一実施例において、スマート懐中電灯は、時間、期日機能を有し、且つ、時間の閾値を予め設定することが可能である。例えば、夏の季節には、時間の閾値を２０：００に設定し、春及び秋の季節には、時間の閾値を１９：００に設定し、冬の季節には、時間の閾値を１８：００に設定する。この場合、時間が時間の閾値を超えると、設定モードに自動的に入る。例えば、夏の季節において、時間が２０：００を超えたことが検出されると、設定モードに自動的に入る。
【００３０】
ステップ１０２：予め記憶された方向と照明方式との対応関係を読み取り、現在の方向に対応する照明方式を決定する。
【００３１】
一実施例において、照明方式が光の色であってもよく、異なる方向を異なる色に対応させる。例えば、東、西、南、北方向をそれぞれイエロー、シアン、グリーン、レッドに対応させる。また、東南、西南、東北及び北西方向がそれぞれイエローグリーン、ブルー、オレンジ及びバイオレットに対応するように、方向に対してさらに詳しく区分してもよい。それぞれの方向に対応する光の色は、ユーザーの好き嫌いや習慣によって設定することが可能である。
【００３２】
一実施例において、照明方式が例えばハイライト、ミドルライトの光の輝度であってもよい。また、光の輝度及び光の色を組み合わせてもよい。例えば、東方向に対応する色がレッドであり、輝度がミドルライトである。
【００３３】
一実施例において、照明方式が例えば高周波点滅、低周波点滅などの光照射方式であってもよい。また、光照射方式及び光の色を組み合わせてもよい。例えば、東方向に対応する色がレッドであり、光照射方式が低周波点滅である。
【００３４】
ステップ１０３：決定された照明方式で照明する。
【００３５】
一実施例において、スマート懐中電灯は、以上のステップで決定された照明方式で照明する。例えば、現在の進行する方向が東方向である場合、スマート懐中電灯の光の色をレッドに調整する。
【００３６】
位置例示的な適用場面において、図１Ｂに示すように、羅針盤が装着されたスマート懐中電灯を例として例示的に説明する。図１Ｂに示すような適用場面において、スマートデバイスであるスマート懐中電灯を備え、前記スマート懐中電灯に羅針盤が取り付けられる。
【００３７】
スマート懐中電灯は、時間が２０１７年６月２２日２０：０１である時間情報を読み出す。そして、２０：００である予め設定された時間の閾値を読み取り、現在時間が設定時間の閾値を超えたので設定モードに入り、スマート懐中電灯の羅針盤の機能を動作させて、現在の進行する方向が西南方向であると決定する。そして、予め設定された方向と光の色との対応関係を読み取り、西南方向に対応する光の色がイエローであることを決定し、現在の灯光をイエローに調整する。
【００３８】
一実施例において、スマート懐中電灯の制御方法は以下のステップをさらに含む。
【００３９】
方向に変更が発生したことを検出すると、調整後の方向を決定し、調整後の方向によって、対応する照明方式を決定し、現在照明方式を新しい照明方式に調整する。
【００４０】
一実施例において、スマート懐中電灯の制御方法は、以下のステップをさらに含む。
方向に変更が発生すると、音声通知を出力し、ユーザーに現在の進行する方向に変更が発生したことを通知する。
【００４１】
具体的にスマート懐中電灯に対して如何にして制御するかについては、後続の実施例を参照すればよい。
【００４２】
ここまで、本発明の実施例に係る方法を説明したが、前記方法によれば、光が暗いとき、ユーザーに照明を提供するとともに方向を明示し、また、方向がずれると、照明方式を変えて、ユーザーが都合よく進行方向を調整するように通知する。これによって、ユーザーが頻繁に羅針盤を見る必要がなくなり、ユーザーが道に迷ってしまうことを防止でき、ユーザーに利便性を提供し、ユーザーの体験を向上させる。
【００４３】
以下、具体的な実施例を参照しながら本発明の実施例が提供する技術手段について説明する。
【００４４】
図２Ａは一例示的な実施例に係る他のスマート懐中電灯の制御方法を示すフローチャートである。本実施例は、本発明の実施例により提供される前記方法によって、予め記憶された方向と照明方式との対応関係をどのようにして読み取り、現在方向に対応する照明方式を決定するかを例として、図２Ｂを併せて参照しながら説明する。図２Ａに示すように、以下のステップを含む。
【００４５】
ステップ２０１：予め記憶された方向と光の色との対応関係を読み取り、現在の方向に対応する光の色を決定する。
【００４６】
一実施例において、スマート懐中電灯には、方向と光の色との対応関係が予め記憶されている。例えば、東方向にレッドが、西南方向にイエローが、北方向にブルーが対応するなどが記憶されている。スマート懐中電灯は、現在の方向によって、前記対応関係を照合して、現在方向に対応する光の色を決定することができる。
【００４７】
ステップ２０２：現在の光の色を決定された光の色に調整して照明する。
【００４８】
一実施例において、現在の照明の光の色が決定された光の色と違う場合、現在照明の光の色を決定された光線の色に調整し、現在照明の光線の色が決定された光線の色と同じである場合、調整する必要がない。
【００４９】
一例示的な適用場面において、図２Ｂに示すように、方向を１６個の方向に区別するとともにそれぞれに異なる色を対応付ける。例えば、現在方向が東方向である場合、対応する色がイエローであることを照合でき、現在方向が南方向である場合、対応する色がグリーンであることを照合でき、これによって、方向が変更されるとき光の色を変えることができる。
【００５０】
本実施例において、上述のステップ２０１−２０２によって、予め設定された方向と光の色との対応関係に基づき、現在方向に対応する光の色を決定することができ、進行方向に変更があるとき、照明の光の色を都合よく変えることができて、ユーザーに精度よく通知することができ、ユーザーが方向からずれたり、道に迷ったりすることを防止できる。
【００５１】
図３は、一例示的な実施例に係る他のスマート懐中電灯の制御方法を示すフローチャートである。本実施例は、本発明の実施例により提供される前記方法によって、予め記憶された方向と照明方式との対応関係を如何にして読み取り、現在方向に対応する照明方式を決定するかを例として例示的に説明する。図３に示すように、以下のステップ３０１−３０２を含む。
【００５２】
ステップ３０１：予め記憶された方向と光の色との対応関係を読み取り、現在の方向に対応する光の色及び光照射の点滅頻度を決定する。
【００５３】
一実施例において、上述の実施例に加え、光の色の以外に、例えば、東方向に対応してレッドで低周波点滅し、西南方向に対応してイエローで高周波点滅し、北方向に対応してブルーで低周波点滅するなどのように、光照射の点滅頻度に対しても限定する。即ち、方向と、光の色及び光照射の点滅頻度の対応関係を予め記憶し、当該対応関係に基づいて、現在方向に対応する光の色及び光照射の点滅頻度を決定する。
【００５４】
ステップ３０２：現在の光の色を決定された光の色に調整して、決定された光照射の点滅頻度で照明する。
【００５５】
本実施例において、上述のステップ３０１−３０２によって、予め設定された方向と、光の色及び光照射の点滅頻度の対応関係に基づき、現在方向に対応する光の色及び光照射の点滅頻度を決定し、進行方向に変更が発生するとき、照明の光の色及び光照射の点滅頻度を都合よく変えて、ユーザーに精度よく且つ目を引く通知を与え、ユーザーが方向からずれたり、道に迷ったりすることを防止できる。
【００５６】
図４は、一例示的な実施例に係る他のスマート懐中電灯の制御方法を示すフローチャートである。本実施例は、本発明の実施例により提供される前記方法によって、予め記憶された方向と照明方式との対応関係をどのようにして読み取り、現在方向に対応する照明方式を決定するかを例として例示的に説明する。図４に示すように、以下の下ステップ４０１−４０２を含む。
【００５７】
ステップ４０１：予め記憶された方向と光の色との対応関係を読み取り、現在の方向に対応する光の色及び光照射の輝度を決定する。
【００５８】
一実施例において、スマート懐中電灯には、方向と光の色及び光照射の輝度の対応関係が予め記憶されている。例えば、東方向に対応して高輝度のレッドが、西南方向に対応してミドル輝度のイエローが、北方向に対応して低輝度のブルーなどが記憶されている。スマート懐中電灯は、現在の方向によって上述の対応関係を照合し、現在方向に対応する光の色及び光照射強度を決定することができる。
【００５９】
ステップ４０２：現在の光の色を決定された光の色に調整し、現在の光照射の輝度を決定された光照射の輝度に調整して照明する。
【００６０】
本実施例において、上述のステップ４０１−４０２によって、予め設定された方向と、光の色及び光照射の輝度の対応関係に基づき、現在方向に対応する光の色及び光照射の輝度を決定し、進行方向に変更が発生するとき、照明の光の色及び光照射の輝度を都合よく変えて、ユーザーに精度よく且つ目を引く通知を与え、ユーザーが方向からずれたり、道に迷ったりすることを防止できる。
【００６１】
図５は、一例示的な実施例に係る他のスマート懐中電灯の制御方法を示すフローチャートである。本実施例は、本発明の実施例により提供された前記方法によって、設定モードに如何に入るかを例として例示的に説明する、図５に示すように、以下のステップ５０１−５０２を含む。
【００６２】
ステップ５０１：ユーザーの作動モードに対する選択操作が検出される。
【００６３】
一実施例において、スマート懐中電灯には、複数の作動モードが設置されてもよい。例えば、昼のとき、光が十分である場合、照明灯を作動させる必要がない。これが１つの作動モードである。しかし、本発明は、例えば、夜のように光が暗い状況を対象とし、本発明において設定モードと称する。
【００６４】
ステップ５０２：前記選択操作が設定モードに対する操作である場合、前記設定モードに入る。
【００６５】
一実施例において、スマート懐中電灯には、それぞれ異なる作動モードに対応して、複数のボタンが設けられてもよい。ユーザーの作動モードに対する選択操作を検出したとき、且つ、当該選択操作が設定モードに対応すると、設定モードに入る。
【００６６】
本実施例において、上述のステップ５０１−５０２によって、ユーザーは作動モードに対する選択操作を介して対応するモードに入り、操作が簡単で容易になり、ユーザーに良好な体験を提供する。
【００６７】
図６は、一例示的な実施例に係る他のスマート懐中電灯の制御方法を示すフローチャートである。本実施例は、本発明の実施例により提供される前記方法によって、設定モードに如何にして入るかを例として例示的に説明する。図６に示すように、以下のステップ６０１−６０２を含む。
【００６８】
ステップ６０１：現在の時間が予め設定された時間に到達したか否かを決定する。
【００６９】
ステップ６０２：前記現在の時間が前記予め設定された時間に到達した場合、前記設定モードに入る。
【００７０】
一実施例において、スマート懐中電灯には設定モードに自動的に入るための予め設定された時間が設けられる。例えば、夏の季節の昼の時間が長く、夜になる時間が遅くなるので、２０：００を予め設定された時間とする。そして、スマート懐中電灯が現在の期日が夏の季節であり、且つ現在の時間が予め設定された時間を超えたことを検出すると、設定モードに自動的に入る。
【００７１】
本実施例において、上述のステップ６０１−６０２によって、スマート懐中電灯は、現在の時間が設定時間を超えたかを判断し、現在の時間が設定時間を超えたと判断すると、設定モードに自動的に入るので、ユーザーの如何なる操作が必要なくなり、スマート化及び自動化程度が向上される。
【００７２】
図７は、一例示的な実施例に係るスマート懐中電灯の制御装置のブロック図である。図７に示すように、スマート懐中電灯の制御装置は、第１の決定モジュール７１０、第１の読み取りモジュール７２０、及び照明モジュール７３０を備える。
【００７３】
第１の決定モジュール７１０は、設定モードにおいて、現在の進行する方向を決定するように構成される。
【００７４】
第１の読み取りモジュール７２０は、予め記憶された方向と照明方式との対応関係を読み取り、第１の決定モジュール７１０により決定された現在の方向に対応する照明方式を決定するように構成される。
【００７５】
照明モジュール７３０は、第１の読み取りモジュール７２０により決定された照明方式で照明するように構成される。
【００７６】
図８は、一例示的な実施例に係る他のスマート懐中電灯の制御装置のブロック図である。図８に示すように、上述の図７に示すような実施例に加え、一実施例において、第１の読み取りモジュール７２０が第１の読み取りサブモジュール７２１を備え、照明モジュール７３０が第１の照明サブモジュール７３１を備えてもよい。
【００７７】
第１の読み取りサブモジュール７２１は、予め記憶された方向と光の色との対応関係を読み取り、現在の方向に対応する光の色を決定するように構成される。
【００７８】
照明モジュール７３０は、
現在の光の色を決定された光の色に調整して照明するように構成される第１の照明サブモジュール７３１を備える。
【００７９】
図９は、一例示的な実施例に係る他のスマート懐中電灯の制御装置のブロック図である。図９に示すように、上述の図７に示すような実施例に加え、一実施例において、第１の読み取りモジュール７２０が第２の読み取りサブモジュール７２２を備え、照明モジュール７３０が第２の照明サブモジュール７３２を備えてもよい。
【００８０】
第２の読み取りサブモジュール７２２は、予め記憶された方向と光の色との対応関係を読み取り、現在の方向に対応する光の色及び光照射の点滅頻度を決定するように構成される。
【００８１】
照明モジュール７３０は、
現在の光の色を決定された光の色に調整して、決定された光照射の点滅頻度で照明するように構成される第２の照明サブモジュール７３２を備える。
【００８２】
図１０は、一例示的な実施例に係る他のスマート懐中電灯の制御装置のブロック図である。図１０に示すように、上述の図７に示すような実施例に加え、一実施例において、第１の読み取りモジュール７２０が第３の読み取りサブモジュール７２３を備え、照明モジュール７３０が第３の照明サブモジュール７３３を備えてもよい。
【００８３】
第３の読み取りサブモジュール７２３は、予め記憶された方向と光の色との対応関係を読み取り、現在の方向に対応する光の色及び光照射の輝度を決定するように構成される。
【００８４】
照明モジュール７３０は、
現在の光の色を決定された光の色に調整し、現在の光照射の輝度を決定された光照射の輝度に調整して照明するように構成される第３の照明モジュール７３３を備える。
【００８５】
図１１は、一例示的な実施例に係る他のスマート懐中電灯の制御装置のブロック図である。図１１に示すように、上述の図７に示すような実施例に加え、一実施例において、前記装置は、第２の決定モジュール７４０、第２の読み取りモジュール７５０、及び調整モジュール７６０をさらに備える。
【００８６】
第２の決定モジュール７４０は、現在の進行する方向が変化されたがこと検出された場合、変化された方向を決定するように構成される。
【００８７】
第２の読み取りモジュール７５０は、予め記憶された方向と照明方式との対応関係を読み取り、第２の決定モジュール７４０に決定された変化された方向に対応する照明方式を決定するように構成される。
【００８８】
調整モジュール７６０は、現在の照明方式を第２の読み取りモジュール７５０により読み取られた変化された方向に対応する照明方向に調整するように構成される。
【００８９】
図１２は、一例示的な実施例に係る他のスマート懐中電灯の制御装置のブロック図である。図１２に示すように、上述の図７に示すような実施例に加え、一実施例において、前記装置は、検出モジュール７７０、及び第１のモードモジュール７８０をさらに備える。
【００９０】
検出モジュール７７０は、ユーザーの作動モードに対する選択操作が検出されるように構成される。
【００９１】
第１のモードモジュール７８０は、検出モジュール７７０により検出した選択操作が設定モードに対する操作である場合、前記設定モードに入るように構成される。
【００９２】
図１３は、一例示的な実施例に係る他のスマート懐中電灯の制御装置のブロック図である。図１３に示すように、上述の図７に示すような実施例に加え、一実施例において、前記装置は、第３の決定モジュール７９０、及び第２のモードモジュール７１００をさらに備える。
【００９３】
第３の決定モジュール７９０は、現在の時間が予め設定された時間に到達したか否かを決定するように構成される。
【００９４】
第２のモードモジュール７１００は、第３の決定モジュール７９０において現在の時間が予め設定された時間に到達した場合、設定モードに入るように構成される。
【００９５】
上述の実施例に係る装置について、その中のそれぞれのモジュールが操作を実行する具体的形態は対応する方法の実施例において既に詳しく説明したので、ここで再び詳しく説明しない。
【００９６】
図１４は一例示的な実施例に係るスマート懐中電灯の制御装置を示すブロック図である。例えば、装置１４００は、携帯電話、コンピュータ、デジタルブロードキャスト端末、メッセージ送受信機、ゲーム機、タブレットデバイス、医療機器、フィットネス機器、ＰＤＡなどのユーザーデバイスであってもよい。
【００９７】
図１４を参照すると、装置１４００は、処理部１４０２、メモリ１４０４、電源部１４０６、マルチメディア部１４０８、オーディオ部１４１０、入力／出力（Ｉ／Ｏ）インターフェース１４１２、センサー部１４１４、及び通信部１４１６からなる群から選ばれる少なくとも１つを有してもよい。
【００９８】
処理部１４０２は、一般的には、装置１４００の全体の操作、例えば、表示、電話呼び出し、データ通信、カメラ操作及び記録操作に関連する操作を制御する。処理部１４０２は、上述のした方法におけるステップの一部又は全部を実現できるように、命令を実行する少なくとも１つのプロセッサー１４２０を有してもよい。また、処理部１４０２は、他の部とのインタラクションの便宜を図るように、少なくとも１つのモジュールを有してもよい。例えば、処理部１４０２は、マルチメディア部１４０８とのインタラクションの便宜を図るように、マルチメディアモジュールを有してもよい。
【００９９】
メモリ１４０４は、装置１４００での操作をサポートするように、各種のデータを記憶するように配置される。これらのデータは、例えば、装置１４００で任意のアプリケーション又は方法を操作するための命令、連絡先データ、電話帳データ、メッセージ、画像、ビデオなどを含む。メモリ１４０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクにより、或いはそれらの組み合わせにより実現することができる。
【０１００】
電源部１４０６は、装置１４００の各種要素に電力を供給するためのものであり、電源管理システム、１つ又は複数の電源、及び装置１４００のために電力を生成、管理及び分配することに関連する他の要素を有してもよい。
【０１０１】
マルチメディア部１４０８は、装置１４００とユーザーとの間に出力インターフェースを提供するスクリーンを有してもよい。スクリーンは、例えば、液晶ディスプレイ（ＬＣＤ）やタッチパネル（ＴＰ）を有してもよい。スクリーンは、タッチパネルを有する場合、ユーザーからの入力信号を受信するように、タッチスクリーンになることができる。また、タッチパネルは、タッチや、スライドや、タッチパネル上のジェスチャを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディア部１４０８は、フロントカメラ及び／又はバックカメラを有してもよい。装置１４００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１０２】
オーディオ部１４１０は、オーディオ信号を出力及び／又は入力するように配置される。例えば、オーディオ部１４１０は、マイクロフォン（ＭＩＣ）を有してもよい。装置１４００が、例えば、呼び出しモード、記録モード、又は音声認識モードのような操作モードにあるとき、マイクロフォンは、外部のオーディオ信号を受信するように配置される。受信したオーディオ信号は、メモリ１４０４にさらに記憶されてもよいし、通信部１４１６を介して送信されてもよい。一実施例では、オーディオ部１４１０は、オーディオ信号を出力するためのスピーカをさらに有してもよい。
【０１０３】
Ｉ／Ｏインターフェース１４１２は、処理部１４０２と外部のインターフェースモジュールとの間にインターフェースを提供するためのものである。上記外部のインターフェースモジュールは、キーボードや、クリックホイールや、ボタンなどであってもよい。これらのボタンは、ホームボタンや、音量ボタンや、スタートボタンや、ロックボタンであってもよいが、それらに限らない。
【０１０４】
センサー部１４１４は、装置１４００のために各方面の状態を評価する少なくとも１つのセンサーを有してもよい。例えば、センサー部１４１４は、装置１４００のオン／オフ状態や、要素の相対的な位置を検出することができる。例えば、前記部は、装置１４００のディスプレイ及びキーパッドである。センサー部１４１４は、装置１４００又は装置１４００の１つの部の位置の変化、ユーザーによる装置１４００への接触の有無、装置１４００の方向又は加速／減速、装置１４００の温度変化などを検出することができる。センサー部１４１４は、何れの物理的な接触もない場合に付近の物体を検出するように配置される近接センサーを有してもよい。センサー部１４１４は、イメージングアプリケーションに用いるための光センサー、例えば、ＣＭＯＳ又はＣＣＤ画像センサーを有してもよい。一実施例では、当該センサー部１４１４は、加速度センサー、ジャイロスコープセンサー、磁気センサー、圧力センサー又は温度センサーをさらに有してもよい。
【０１０５】
通信部１４１６は、装置１４００と他のデバイスの間との無線又は有線通信の便宜を図るように配置される。装置１４００は、例えば、ＷｉＦｉ、２Ｇ又は３Ｇ、又はそれらの組み合わせの通信標準に基づく無線ネットワークにアクセスできる。１つの例示的な実施例では、通信部１４１６は、ブロードキャストチャンネルを介して外部のブロードキャスト管理システムからのブロードキャスト信号又はブロードキャストに関する情報を受信する。１つの例示的な実施例では、前記通信部１４１６は、近距離通信を促進するために近距離無線通信（ＮＦＣ）モジュールをさらに有してもよい。例えば、ＮＦＣモジュールは、無線周波数認識（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ）技術及び他の技術によって実現されてもよい。
【０１０６】
例示的な実施例では、装置１４００は、上述のした方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されてもよい。
【０１０７】
例示的な実施例では、命令を有する非一時的コンピュータ読み取り可能な記録媒体、例えば、命令を有するメモリ１４０４をさらに提供する。この命令は、装置１４００のプロセッサー１４２０により実行されて上述のした方法を実現する。例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリなどであってもよい。
【０１０８】
ここで、プロセッサー１４２０は、
設定モードにおいて、現在の進行する方向を決定し、
予め記憶された方向と照明方式との対応関係を読み取り、現在の方向に対応する照明方式を決定し、
決定された照明方式で照明するように構成される。
【０１０９】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、例示的なものにすぎず、本発明の真の範囲と主旨は、以下の特許請求の範囲によって示される。
【０１１０】
本発明は、上記で記述され、図面で図示した特定の構成に限定されず、その範囲を逸脱しない範囲で、様々な修正や変更を行うとができる。本発明の範囲は、添付される特許請求の範囲のみにより限定される。
【図１Ａ】
0006832444.tif 000002
【図１Ｂ】
0006832444.tif 000003
【図２Ａ】
0006832444.tif 000004
【図２Ｂ】
0006832444.tif 000005
【図３】
0006832444.tif 000006
【図４】
0006832444.tif 000007
【図５】
0006832444.tif 000008
【図６】
0006832444.tif 000009
【図７】
0006832444.tif 000010
【図８】
0006832444.tif 000011
【図９】
0006832444.tif 000012
【図１０】
0006832444.tif 000013
【図１１】
0006832444.tif 000014
【図１２】
0006832444.tif 000015
【図１３】
0006832444.tif 000016
【図１４】
0006832444.tif 000017